(57)【要約】【課題】  物品を保持する保持体の変形が防止でき、物品の出し入れが行い易く、しかも、保持体の見栄えが高まる物品吊り下げ具を提供する。【解決手段】  物品吊り下げ具１０は、物品１１を保持する箱状の保持体２０と、保持体２０の左右の側壁２２Ｌ，２２Ｒに取り付けられて保持体２０を吊るす紐体３０と、保持体２０の上方に配置されると共に紐体３０により保持体２０に連結され、所定の表示４１を備える表示体４０と、を有する。表示体４０は、その左右方向の幅が保持体２０の幅と略同一の寸法Ｗに設定される。紐体３０は、表示体４０の左右の側端４５Ｌ，４５Ｒのそれぞれから導出された後、鉛直線と略平行に下方に延びて、保持体２０の左右の側壁２２Ｌ，２２Ｒに取り付けられる。【選択図】  図２
2014068837.tif 000002
【特許請求の範囲】
【請求項１】
物品を保持する箱状の保持体と、
前記保持体の左右の側壁に取り付けられて前記保持体を吊るす紐体と、
前記保持体の上方に配置されると共に前記紐体により前記保持体に連結され、所定の表示を備える表示体と、
を有し、
前記表示体の左右方向の幅は、前記保持体の幅と略同一の寸法に設定され、
前記紐体は、前記表示体の左右の側端のそれぞれから鉛直線と略平行に下方に延びて、前記保持体の左右の側壁に取り付けられることを特徴とする物品吊り下げ具。
【請求項２】
前記表示体は、
表側の表面材と、
前記表面材の下縁に折り曲げ部を介して連なると共に前記表面材の裏側に重なる裏面材と、
を有し、
前記裏面材は、前記裏面材の左右の側縁の近傍に左右の貫通穴を有し、
前記紐体は、前記左右の貫通穴から前記裏面材と前記表面材の間に導入され、前記折り曲げ部の左右の側端のそれぞれから導出されることを特徴とする請求項１に記載の物品吊り下げ具。
【請求項３】
前記裏面材の縁と前記貫通穴の間を結び、且つ、前記紐体を前記裏面材の縁から前記貫通穴に差し入れるスリットを有することを特徴とする請求項２に記載の物品吊り下げ具。
【発明の詳細な説明】
【技術分野】
【０００１】
本発明は、物品吊り下げ具に関し、より詳細には、物品を保持する箱状の保持体と、この保持体を吊るす紐体と有する物品吊り下げ具に関する。
【背景技術】
【０００２】
従来、物品を吊り下げる各種の吊り下げ具が提案されている（例えば、特許文献１参照。）。
【０００３】
特許文献１の吊下式陳列具は、商品を収納するトレーと、このトレーの上方に配置される広告板とを有する。トレーの側壁および広告板の隅部には、それぞれ、紐穴が設けられる。
【０００４】
この吊下式陳列具では、トレーの紐穴および広告板の紐穴に帯体を通し、通した帯体を、店内に設けたフックなどに引っ掛ける。これにより、トレーに収納した商品を吊り下げて陳列することができる共に、商品の上方において広告板により所定の広告を表示することができる。
【先行技術文献】
【特許文献】
【０００５】
【特許文献１】特開２００３−１９９６５２号公報
【発明の概要】
【発明が解決しようとする課題】
【０００６】
しかしながら、特許文献１の吊下式陳列具では、商品が収納されることでトレーに荷重が加わると、トレーの左右の側壁が内向きに倒れて湾曲する。このようなトレーの変形により、例えば、需要者が商品を手に取って確かめる際、商品が取り出しにくくなったり、商品が入れにくく（戻しにくく）なったりする問題点があった。また、トレーが変形することで、化粧箱としてのトレーの見栄えが悪くなる問題が生じていた。このため、吊り下げ具において、物品を保持する保持体の変形を防止する技術が望まれる。
【０００７】
本発明は、このような事情に鑑みてなされたものであり、その目的は、物品を保持する保持体の変形が防止でき、物品の出し入れが行い易く、しかも、保持体の見栄えが高まる物品吊り下げ具を提供することにある。
【課題を解決するための手段】
【０００８】
本発明は、以下の構成によって把握される。
（１）本発明の物品吊り下げ具は、物品を保持する箱状の保持体と、前記保持体の左右の側壁に取り付けられて前記保持体を吊るす紐体と、前記保持体の上方に配置されると共に前記紐体により前記保持体に連結され、所定の表示を備える表示体と、を有し、前記表示体の左右方向の幅は、前記保持体の幅と略同一の寸法に設定され、前記紐体は、前記表示体の左右の側端のそれぞれから鉛直線と略平行に下方に延びて、前記保持体の左右の側壁に取り付けられることを特徴とする。
【０００９】
この構成によれば、紐体を、表示体の左右の側端のそれぞれから鉛直線と略平行に下方に延ばしたので、保持体の左右の側壁が紐体により鉛直上向きに引っ張られる。これにより、保持体の左右の側壁が内向きに倒れる心配が無い。結果、物品を保持する保持体の変形を防止することができる。
【００１０】
（２）本発明の物品吊り下げ具では、（１）の構成において、前記表示体は、表側の表面材と、前記表面材の下縁に折り曲げ部を介して連なると共に前記表面材の裏側に重なる裏面材と、を有し、前記裏面材は、前記裏面材の左右の側縁の近傍に左右の貫通穴を有し、前記紐体は、前記左右の貫通穴から前記裏面材と前記表面材の間に導入され、前記折り曲げ部の左右の側端のそれぞれから導出されることを特徴とする。
【００１１】
この構成によれば、貫通穴を利用して、紐体を裏面材と表面材の間に通すことで、折り曲げ部の左右の側端（表示体の左右の側端）から紐体を容易に導出することができる。また、紐体が裏面材と表面材の間を通るので、正面から紐体が見えない。これにより、表示体の美粧性を高めることができる。
【００１２】
（３）本発明の物品吊り下げ具は、（２）の構成において、前記裏面材の縁と前記貫通穴の間を結び、且つ、前記紐体を前記裏面材の縁から前記貫通穴に差し入れるスリットを有することを特徴とする。
【００１３】
この構成によれば、紐体を貫通穴に通す際、スリットを利用して紐体の中間部分を貫通穴に容易に差し入れることができる。すなわち、紐体の端部を貫通穴に差し通す必要がないため、物品吊り下げ具の組み立て作業性を向上することができる。
【発明の効果】
【００１４】
本発明の物品吊り下げ具によれば、物品を保持する保持体の変形を防止することができる。これにより、物品の出し入れが行い易くなり、しかも、保持体の見栄えを高めることができる。
【図面の簡単な説明】
【００１５】
【図１】本発明に係る実施形態の物品吊り下げ具の斜視図である。
【図２】物品吊り下げ具の正面図である。
【図３】表示体の展開図であり、内面側から見た図である。
【図４】物品吊り下げ具の背面図である。
【図５】図４のＡ部を拡大して斜め上方から見た斜視図である。
【図６】物品吊り下げ具の作用説明図であり、（ａ）は図４のＢ部拡大図、（ｂ）保持体の正面図である。
【図７】比較例の物品吊り下げ具の作用説明図である。
【図８】第１変形例の物品吊り下げ具を説明する図であり、（ａ）は表示体の展開図、（ｂ）は物品吊り下げ具の上部の正面図である。
【図９】第２変形例の物品吊り下げ具の正面図である。
【図１０】第３変形例の物品吊り下げ具の正面図である。
【発明を実施するための形態】
【００１６】
以下、添付図面を参照して、本発明を実施するための形態（以下、「実施形態」と称する。）について詳細に説明する。実施形態の説明の全体を通して同じ要素には同じ番号を付している。また、実施形態において、「上」、「下」、「左」、「右」は、各々、物品吊り下げ具に正対したときの方向を示す。また、「前」、「後」は、各々、物品吊り下げ具に正対したときの「手前側」、「奥側」を示す。また、物品吊り下げ具の左右に同一の機能の要素がある場合、いずれも同一の番号に、左側の部材には「Ｌ」を、右側の部材には「Ｒ」を付けた符号で示す。また、左右の部材を纏めて称する場合には、番号に「Ｌ，Ｒ」を付けた符号を用いる。
【００１７】
（物品吊り下げ具の全体構成）
まず、物品吊り下げ具の全体構成を図１に基づいて説明する。
図１に示すように、実施形態の物品吊り下げ具１０は、物品１１を保持する箱状の保持体２０と、この保持体２０をフック（例えば、店舗に設けたＳ字状のフックなど）１２に吊るす紐体３０と、保持体２０の上方に配置されると共に紐体３０により保持体２０に連結される表示体４０とを有する。
【００１８】
物品１１は、例えば、菓子や日常雑貨を含む各種の商品、あるいは、各種の展示品などであり、物品１１の種類や形態、個数は任意である。
【００１９】
保持体２０と表示体４０の構成材料には、各種の材料を用いることができる。この例では、コスト、軽量性、利便性、意匠性、輸送・保管時の折り畳み性などを考慮し、紙製のシートを用いて保持体２０と表示体４０を構成する。
【００２０】
（保持体の構成）
次に、保持体２０の構成を図２に基づいて説明する。
図２に示すように、保持体２０は、装飾を施した組み立て式カートン（いわゆる化粧箱）である。保持体２０の形状は、各種の形状から選択可能であるが、ここでは、上方に開放した直方体状であり、保持体２０には、上から物品１１が挿入されて収納・保持される。保持体２０は、いわゆるロックボトム式の長方形状の底壁２１と、底壁２１の左右両端から上方に立ち上がる左右の側壁２２Ｌ，２２Ｒと、左右の側壁２２Ｌ，Ｒの前下部を連結する前壁２３と、左右の側壁２２Ｌ，Ｒの後部を連結する後壁２５とを有する。保持体２０に収納される物品１１は、正面から見ると、前面および上面が露出する。
【００２１】
左右の側壁２２Ｌ，Ｒのそれぞれには、左右方向に貫通する通し穴２６Ｌ，２６Ｒが設けられる。これら通し穴２６Ｌ，Ｒは、側壁２２Ｌ，Ｒの前後方向の中央部に設けられており、左右の通し穴２６Ｌ，Ｒのそれぞれには、紐体３０の左右の端部が通される。
【００２２】
なお、保持体２０は、上下方向に複数連結してもよい。例えば、図２において二点鎖線で示すように、保持体２０の下方に別の保持体２０を配置し、下位の保持体２０を上位の保持体２０から紐体３０で吊るす。このように上下方向に保持体２０を連結することにより、２個または３個以上の保持体２０を吊るすことができる。
【００２３】
（表示体の構成）
続いて、表示体４０の構成を図２〜図４に基づいて説明する。
図２に示すように、表示体４０は、所定の表示４１を備える、いわゆるＰＯＰ（Point
Of Purchase）であり、表示体４０の左右方向の幅は、保持体２０の幅と略同一の寸法Ｗに設定される。ここで、表示４１は、文字、絵、写真、記号、図形、あるいはこれらの組み合わせなどである。
【００２４】
図３は、折り曲げる前の表示体４０を内面側から見た展開図であり、図３に示すように、表示体４０は、表示４１を備える表側の表面材５０と、表面材５０の下縁５１に折り曲げ部（いわゆる罫線や、断続的な切り込みなど）４２を介して連なると共に表面材５０の裏側に重なる裏面材６０とを有する。
【００２５】
表面材５０は、左右方向に長い長方形状の表面材本体５２と、この表面材本体５２の上縁に連なる円弧状の表側片部５３とを有する。この表側片部５３には、左右１対の上貫通穴４３Ｌ，４３Ｒが設けられる。表面材本体５２の内面は、表面材５０と裏面材６０が折り曲げ部４２に沿って折り曲げられたとき、左右方向に帯状に延びる両面テープ（図中、斜線で示す部分）５５により、裏面材６０の内面に接着される。
【００２６】
なお、表面材５０と裏面材６０を接着する手段は、両面テープ５５の他、接着剤を含む各種の接着手段から選択可能である。また、表面材５０と裏面材６０は、表示体４０に求められる仕様によっては、接着しなくてもよい。
【００２７】
裏面材６０は、折り曲げ部４２を対称軸として、表面材５０と線対称な形状であり、長方形状の裏面材本体６２と、この裏面材本体６２に連なる円弧状の裏側片部６３とを有する。裏側片部６３には、左右１対の上貫通穴４３Ｌ，４３Ｒが設けられる。表面材５０と裏面材６０は、折り曲げ部４２に沿って折り曲げられたとき、表面材本体５２と裏面材本体６２の内面が接着されると同時に、表側片部５３と裏側片部６３の内面同士および上貫通穴４３Ｌ，Ｒ同士が重なる。
【００２８】
さらに、裏面材本体６２には、左右１対の下貫通穴６５Ｌ，６５Ｒが設けられる。図４に示すように、これら左右の下貫通穴６５Ｌ，Ｒは、裏面材本体６２の左右の側縁６６Ｌ，６６Ｒおよび折り曲げ部４２の近傍、すなわち、折り曲げ部４２の左右の側端４５Ｌ，Ｒの近傍に設けられる。これら２個の下貫通穴６５Ｌ，Ｒは、下方に行くに従って互いに近づく長円状に形成される。そして、裏面材本体６２には、側縁（裏面材の縁に相当）６６Ｌ，Ｒと下貫通穴６５Ｌ，Ｒの間を結ぶスリット６７Ｌ，６７Ｒが設けられる。
【００２９】
これら左右のスリット６７Ｌ，Ｒは、それぞれ、紐体３０を裏面材本体６２の側縁６６Ｌ，Ｒから下貫通穴６５Ｌ，Ｒに差し入れる切り込みである。この例では、スリット６７Ｌ，Ｒを水平部７１および傾斜部７２によって形成する。水平部７１は、下貫通穴６５Ｌ，Ｒよりも高い位置において側縁６６Ｌ，Ｒから水平方向に沿って内向きに切り込まれ、下貫通穴６５Ｌ，Ｒの上方を通る。傾斜部７２は、水平部７１の先端から下貫通穴６５Ｌ，Ｒに向けて斜め下方に延び、下貫通穴６５Ｌ，Ｒの左右方向内側の端部７３に連なる。
【００３０】
（紐体の構成）
次に、紐体３０の構成を図４、図５に基づいて説明する。
図４に示すように、紐体３０は、フック１２から左右に分かれ、分かれた左右の半部３１Ｌ，３１Ｒは、それぞれ、上貫通穴４３Ｌ，Ｒに表側から裏側に貫通するように差し通された後、下貫通穴６５Ｌ，Ｒに向けて斜め下方に延びる。下貫通穴６５Ｌ，Ｒに通された紐体３０の半部３１Ｌ，Ｒは、折り曲げ部４２の側端（表示体の左右の側端に相当）４５Ｌ，４５Ｒから導出される。側端４５Ｌ，Ｒから導出された紐体３０の半部３１Ｌ，Ｒは、側端４５Ｌ，Ｒの直下に位置する保持体２０の通し穴２６Ｌ，Ｒに延び、通し穴２６Ｌ，Ｒに差し通され、側壁２２Ｌ，Ｒの上部に端部が取り付けられる。紐体３０の半部３１Ｌ，Ｒは、フック１２、上貫通穴４３Ｌ，Ｒ、下貫通穴６５Ｌ，Ｒおよび側端４５Ｌ，Ｒを略直線状に結ぶ。なお、下貫通穴６５Ｌ，Ｒおよびスリット６７Ｌ，Ｒの位置は、上下方向において任意に設定可能であるが、裏面材本体６２の高さをＨとしたとき、折り曲げ部４２から高さ（Ｈ／３）までの範囲に収めることが望ましい。
【００３１】
図５に示すように、下貫通穴６５Ｌでは、例えば、紐体３０の半部３１Ｌの中間部分をスリット６７Ｌの水平部７１から差し入れ（矢印（１））、さらに、傾斜部７２によって、紐体３０の半部３１Ｌを下貫通穴６５Ｌに導く（矢印（２））。これにより、紐体３０の半部３１Ｌは、下貫通穴６５Ｌから裏面材６０と表面材５０の間に導入され、折り曲げ部４２の側端４５Ｌから導出される。このような紐体３０の導出は、右側のスリット６７Ｒ（図４参照）、下貫通穴６５Ｒ（図４参照）および側端４５Ｒ（図４参照）においても、同様に行うことができる。なお、下貫通穴６５Ｌ，Ｒへの紐体３０の引っ掛け易さや通し易さを考慮すると、水平部７１に対する傾斜部７２の傾斜角α（図４参照）は、３０度以上９０度未満、好ましくは、４０度以上７０度未満に設定することが好適である。
【００３２】
以上、説明した物品吊り下げ具１０の作用・効果を図６に基づいて説明する。
図６（ａ）に示すように、本実施形態によれば、紐体３０は、裏面材６０と表面材５０の間に導入され、折り曲げ部４２の側端４５Ｌ，Ｒのそれぞれから導出された後、鉛直線Ｖと略平行に下方に延びる。これにより、図６（ｂ）に示すように、保持体２０の側壁２２Ｌ，Ｒは、紐体３０によって鉛直上向きに引っ張られる（矢印（３））。
【００３３】
これに対し、図７に示すように、表示体１０１の下部に下貫通穴１０２Ｌ，１０２Ｒを単に設けた物品吊り下げ具１００の場合、保持体２０の側壁２２Ｌ，Ｒと下貫通穴１０２Ｌ，Ｒとを結ぶ線１０３が鉛直線Ｖに対して内側に角度θ傾斜してしまい、側壁２２Ｌ，Ｒが、角度θ傾斜した向きの力Ｆで引っ張られる。このため、力Ｆの水平成分Ｆ１によって、保持体２０が内向きに湾曲してしまい、物品の出し入れが行いづらくなったり、保持体２０の見栄えが悪くなったりする。
【００３４】
この点、本実施形態では、図６（ｂ）に示すように、保持体２０の左右の側壁２２Ｌ，Ｒが鉛直上向きに引っ張られるので、保持体２０の側壁２２Ｌ，Ｒが内向きに倒れる心配が無い。結果、保持体２０の変形を防止することができる。
【００３５】
したがって、本実施形態によれば、物品１１（図２参照）を保持する保持体２０の変形を防止することができる。これにより、物品１１（図２参照）の出し入れが行い易くなり、しかも、保持体２０の見栄えを高めることができる。
【００３６】
また、紐体３０を裏面材６０と表面材５０の間に通すことで、折り曲げ部４２の側端４５Ｌ，Ｒ（表示体４０の左右の側端）から紐体３０を容易に導出することができる。また、紐体３０が裏面材６０と表面材５０の間を通るので、表示体４０の下部では正面から紐体３０が見えない。このため、表示体４０の美粧性を高めることができる。
【００３７】
さらに、紐体３０を下貫通穴６５Ｌ，Ｒに通す際、スリット６７Ｌ，Ｒを利用して、紐体３０の中間部分を下貫通穴６５Ｌ，Ｒに容易に差し入れることができる。すなわち、紐体３０の端部を下貫通穴６５Ｌ，Ｒに差し通す必要がないため、物品吊り下げ具１０の組み立て作業性を向上することができる。
【００３８】
加えて、物品吊り下げ具１０を吊るしたとき、紐体３０は、下貫通穴６５Ｌ，Ｒの左右方向外側の端部７５に寄るため、左右方向内側の端部７３に連なるスリット６７Ｌ，Ｒからは、紐体３０が抜けない。これにより、紐体３０が下貫通穴６５Ｌ，Ｒからスリット６７Ｌ，Ｒに戻って外れることを防止でき、紐体３０の機能をしっかりと維持することができる。
【００３９】
（物品吊り下げ具の変形例）
次に、本発明に係る物品吊り下げ具の第１〜第３変形例を図８〜図１０に基づいて説明する。なお、前述した物品吊り下げ具１０（図２参照）と共通する要素には同じ符号を付して、重複する説明を省略することとする。
【００４０】
（第１変形例）
前述した物品吊り下げ具１０（図２参照）においては、裏面材６０（図３参照）と表面材５０（図３参照）を互いに線対称な形状としたが、この他、表面材と裏面材は、互いに非対称な形状であってもよい。例えば、図８（ａ）に示すように、第１変形例に係る表示体４０Ａでは、表面材５０に連なる裏面材６０Ａを左右方向に細長い帯状に形成し、この細長い裏面材６０Ａの長手方向に沿って両面テープ５５を設ける。そして、裏面材６０Ａの側縁６６Ｌ，Ｒの近傍に左右１対の下貫通穴６５Ｌ，Ｒを設け、裏面材６０Ａの上縁（裏面材の縁に相当）７６と下貫通穴６５Ｌ，Ｒの間にスリット６７Ｌ，Ｒを形成する。スリット６７Ｌ，Ｒは、下貫通穴６５Ｌ，Ｒの左右方向内側の端部７３に連なる。
【００４１】
図８（ｂ）に示すように、この第１変形例の物品吊り下げ具１０Ａでは、スリット６７Ｌ，Ｒを利用して、紐体３０の中間部分を裏面材６０Ａの上縁７６から下貫通穴６５Ｌ，Ｒに差し入れる。
【００４２】
この第１変形例によれば、前述した物品吊り下げ具１０（図２参照）と同様の作用効果を得ることができる。加えて、第１変形例の物品吊り下げ具１０Ａの構成は、特に、表示体４０Ａを合紙で構成するなど裏面材６０Ａが小さくてもよい場合において、有効な手段である。
【００４３】
（第２変形例）
前述した物品吊り下げ具１０（図２参照）では、１本の紐体３０（図２参照）を使用したが、この他、複数本の紐体を使用することもできる。例えば、図９に示すように、第２変形例の物品吊り下げ具１０Ｂでは、第１の紐体３２の両端部を表示体４０Ｂの上貫通穴４３Ｌ，Ｒに取り付け、第２の紐体３３を折り曲げ部４２に沿って表面材５０と裏面材６０Ｂの間に通し、第２の紐体３３の左右の端部を保持体２０の通し穴２６Ｌ，Ｒに取り付ける。
【００４４】
この第２変形例によれば、前述した物品吊り下げ具１０（図２参照）と同様の作用効果を得ることができる。これに加え、表示体４０Ｂにおける貫通穴の数を減らすことができるので、物品吊り下げ具１０Ｂの組み立て作業性をより高めることができる。
【００４５】
（第３変形例）
前述した物品吊り下げ具１０（図２参照）においては、折り曲げ部４２の側端４５Ｌ，Ｒ（図２参照）から紐体３０（図２参照）を導出したが、本発明において紐体を導出する位置は、表示体の側端の上下方向において任意である。例えば、図１０に示すように、第３変形例の物品吊り下げ具１０Ｃでは、側縁６６Ｌ，Ｒの上下方向の中央部に、切り起こし片などで引っ掛け部７７Ｌ，７７Ｒを設け、これら引っ掛け部７７Ｌ，Ｒに紐体３０を掛け止める。
【００４６】
この第３変形例によれば、前述した物品吊り下げ具１０（図２参照）と同様の作用効果を得ることができる。さらに、引っ掛け部７７Ｌ，Ｒの上下方向の位置を任意に設定することにより、表示体４０Ｃと保持体２０の離間距離を任意に変更することができる。
【００４７】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００４８】
１０        物品吊り下げ具
１０Ａ      物品吊り下げ具
１０Ｂ      物品吊り下げ具
１０Ｃ      物品吊り下げ具
１１        物品
２０        保持体
２２Ｌ，Ｒ  側壁
３０        紐体
３２        第１の紐体
３３        第２の紐体
４０        表示体
４０Ａ      表示体
４０Ｂ      表示体
４０Ｃ      表示体
４１        表示
４２        折り曲げ部
４５Ｌ，Ｒ  側端
５０        表面材
５１        下縁
６０        裏面材
６０Ａ      裏面材
６０Ｂ      裏面材
６０Ｃ      裏面材
６５Ｌ，Ｒ  下貫通穴（貫通穴）
６６Ｌ，Ｒ  側縁（裏面材の縁）
６７Ｌ，Ｒ  スリット
７６        上縁（裏面材の縁）
Ｖ          鉛直線
Ｗ          寸法
【図１】
2014068837.tif 000003
【図２】
2014068837.tif 000004
【図３】
2014068837.tif 000005
【図４】
2014068837.tif 000006
【図５】
2014068837.tif 000007
【図６】
2014068837.tif 000008
【図７】
2014068837.tif 000009
【図８】
2014068837.tif 000010
【図９】
2014068837.tif 000011
【図１０】
2014068837.tif 000012